(57)【要約】      （修正有）【課題】水晶体超音波乳化吸引外科用システムに使用されるグラフィカルユーザーシステムに関し、ユーザーが表示画面の部分のタッチにより異なるパルスモードを選択できるグラフィカルユーザーインタフェースを提供する。【解決手段】ユーザーインタフェースは第１および第２表示要素を含む。一つの表示要素は、パルスのオン・タイムの表現５０を含み、他の表示要素は、オフ・タイムの表現６０を含む。表現２０は、フットペダルのようなコントローラの位置に関して、オン・タイムとオフ・タイムがどのように変化するかを示す。表現は、一定の時間、または時間が、フットペダルが押されるにつれて増加または減少することを示す。パルスモードを選択するために、ユーザーは、表示要素において画面にタッチすることにより異なるパルス表現をスクロールできる。選択されたパルスモードは、連続、パルス、バースト、またはそれらの組合せ、または派生であってよい。【選択図】図４
2006297086.tif 000002
【特許請求の範囲】
【請求項１】
オン・タイムとオフ・タイムを有し、コントローラに応答し、かつ表示画面上に表示されたユーザーインタフェースの設定に基づいて調整されるパルスを生成する水晶体超音波乳化吸引外科用システムのためのユーザーインタフェースであって、
前記コントローラの位置に関して、前記水晶体超音波乳化吸引システムにより生成されるパルスの前記オン・タイムの表現を含む第１表示要素であって、前記第１表示要素において、前記表示画面がタッチされることに応答して、第１オン・タイム表現が第２オン・タイム表現に変更される前記第１表示要素と、
前記コントローラの位置に関して、前記水晶体超音波乳化吸引システムにより生成されるパルスの前記オフ・タイムの表現を含む第２表示要素であって、前記第２表示要素において、前記表示画面がタッチされることに応答して、第１オフ・タイム表現が第２オフ・タイム表現に変更される前記第２表示要素と、を備えるユーザーインタフェース。
【請求項２】
オン・タイムとオフ・タイムを有し、フットペダルに応答し、かつ表示画面上に表示されたユーザーインタフェースの設定に基づいて調整されるパルスを生成する水晶体超音波乳化吸引外科用システムのためのユーザーインタフェースであって、
前記フットペダルの位置に関して、前記水晶体超音波乳化吸引システムにより生成されるパルスの前記オン・タイムの表現を含む第１表示要素であって、前記第１表示要素において、前記表示画面がタッチされることにより、オン・タイム表現をスクロールして、前記第１表示要素に複数の前記オン・タイム表現を順に表示することができ、前記第１表示要素に表示される前記オン・タイム表現は、前記選択されたオン・タイム表現である前記第１表示要素と、
前記フットペダルの位置に関して、前記水晶体超音波乳化吸引システムにより生成されるパルスの前記オフ・タイムの表現を含む第２表示要素であって、前記第２表示要素において、前記表示画面がタッチされることにより、オフ・タイム表現をスクロールして、前記第２表示要素に複数の前記オフ・タイム表現を順に表示することができ、前記第２表示要素に表示される前記オフ・タイム表現は、前記選択されたオフ・タイム表現である前記第２表示要素と、を備えるユーザーインタフェース。
【請求項３】
オン・タイムとオフ・タイムを有し、フットペダルに応答し、かつ表示画面上に表示されたユーザーインタフェースの設定に基づいて調整されるパルスを生成する水晶体超音波乳化吸引外科用システムのためのユーザーインタフェースであって、
前記フットペダルの位置に関して、前記水晶体超音波乳化吸引システムにより生成されるパルスの前記オン・タイムの直線表現を含む第１表示要素であって、前記直線オン・タイム表現は、減少直線または非直線表現、水平表現、または増加直線または非直線表現であり、前記オン・タイム表現は、前記第１表示要素において、前記表示画面にタッチすることに応答して、メニューに表示できる前記第１表示要素と、
前記第１表示要素と共に表示され、前記パルスの前記オン・タイムの値を示すオン・タイム値であって、前記オン・タイム表現は、前記オン・タイム値に関して、バックグランドで表示される前記オン・タイム値と、
前記フットペダルの位置に関して、前記水晶体超音波乳化吸引システムにより生成されるパルスの前記オフ・タイムの直線表現を含む第２表示要素であって、前記直線オフ・タイム表現は、減少直線または非直線表現、水平表現、または増加直線または非直線表現であり、前記オフ・タイム表現は、前記第２表示要素において、前記表示画面にタッチすることに応答して、メニューに表示できる前記第２表示要素と、
前記パルスの前記オフ・タイムの値を示すオフ・タイム値表示であって、前記オフ・タイム値表示は前記第２表示要素内に現れ、前記オフ・タイム表現は、前記オフ・タイム値に関して、前記バックグランドに表示される前記オフ・タイム値表示と、を備えるユーザーインタフェース。
【発明の詳細な説明】
【技術分野】
【０００１】
本発明は、一般的に外科用システムのためのグラフィカルユーザーインタフェースに関し、より特別には、パルスのオン・タイムおよびオフ・タイムの機能と挙動の表現を含む水晶体超音波乳化吸引外科用システムのためのグラフィカルユーザーインタフェースに関する。オン・タイムおよびオフ・タイム機能は、画面にタッチすることによって、変更できる。
【背景技術】
【０００２】
最新の外科用システムおよび、特に、最新の眼科の外科用システムは、外科用システムに接続され、フットペダルを用いることにより外科医により制御される外科用装置または器具の複数のパラメータをモニタして、表示するように設計されている。このようなシステムは、特に外科的処置の間、外科医により表示され、制御されなければならない複数のパラメータがあるために複雑であり得る。
【０００３】
ある周知の水晶体超音波乳化吸引システムは、固定レベルでの超音波エネルギーの適用を可能にする。例えば、フットペダルは、特定のパワーレベルにある超音波エネルギーを起動および停止するためのオン／オフスイッチとして働く。フットペダルが押されると、装置は作動し、パワーレベルは一定または「連続」である。
【０００４】
「連続」パワーシステムは外科医が種々の方法でパワーを制御できる「直線」モードの導入により改良された。パワーがフットペダルの変位と比例または直線的になるように、外科医はフットペダル位置に基づいてパワーを制御する。このように、外科医がフットペダルを押すにつれて、より多くのパワーが供給され、そして、フットペダルがリリースされるにつれて、より少ないパワーが供給される。
【０００５】
更なる改良は、「パルス」モードの導入に関連していた。「パルス」モードにおいて、水晶体超音波乳化吸引エネルギーは、一定のデューティサイクルで周期的なパルスで供給される。外科医はフットペダルを押すかまたはリリースすることによって、パワーの量を増減し、それにより、固定幅のパルスの振幅を増減する。
【０００６】
更なる強化は、「バースト」モードの導入に関連していた。「バースト」モードにおいて、パワーは、一連の周期的、固定幅、および一定振幅のパルスにより供給される。各パルスの後に、「オフ」タイムが続く。オフ・タイムは、パワーを調整するためにフットペダルを押し、リリースすることによって、外科医により変更される。
【０００７】
連続、「直線」、「パルス」、そして、「バースト」モード、およびそれらの作動パラメータを収容するために、水晶体超音波乳化吸引システムの周知のユーザーインタフェースは、一般的にいくつかの、表示画面上の特定位置を占有する、人間の操作可能なコントローラおよび領域または要素を含む。周知のユーザーインタフェースには、外科用システムの動作特性の所望の数値を設定するためのボタン、矢印、スイッチ、バーおよび／またはツマミが含まれる。フットペダル位置に関係なく、特定のパラメータは固定されるかまたは一定値を有するものもあるが、他のパラメータは、フットペダルによって、例えば、直線的に変化する。インタフェースは、結果として生成されるモードまたはパルスのタイプを制御する制御信号を、外科用器具に供給するために外科医により操作される。
【０００８】
図１および図２は、水晶体超音波乳化吸引システムのための一つの周知のインタフェースを例示する。外科医は、手動でパワーモードを選択バーまたはメニュー１０から選択する。このインタフェースにおいて、メニュー１０は、「超音波連続」、「超音波パルス」、および「超音波バースト」メニューバー１２、１４、および１６をそれぞれ含む。図１および図２において示される例において、連続パワーメニューバー１２が、メニュー１０から選択される。パワー限界は、ウィンドウまたはフィールド２０において示される。連続パワーまたはパワー限界の最大値は、上下矢印２４を使用して調整される。この例では、連続パワー限界は、最大許容パワーの「３５」即ち３５％であるように選択される。パワー限界ウィンドウ２０のバックグラウンドの直線２６で示すように、連続パワーは直線的に変化する。現在のパワーレベルはまた、ウィンドウ２８にも示される。示された例では、フットペダルがリリースされているときの現在のパワーを画面が示しているので、現在のパワーは「０」即ち０％である。フットペダルを押すことにより、エネルギーは０％から３５％まで直線的に増加する。外科医が「連続」モードから他のモードに変更したいときには、外科医は「超音波連続」バー１２を選択して、利用できるパルスモードのメニュー１０が表示されるようにする。これにより、外科医はメニュー１０から他のモードを選択できる。
【０００９】
例えば、図３は、「超音波パルス」メニューバー１４がメニュー１０から選択されていることを示す。外科医は手動で３５％の最大パワーレベルを選択し、そしてそれは、フットペダルが押されて、リリースされるにつれて直線的に変化する。更に、インタフェースは、パルスレートまたは１秒当りのパルス数（ｐｐｓ）のためのウィンドウ３０および「オン・タイム」（タイムオンの百分率）のためのウィンドウ４０を含む。しかし、１秒当りのパルス数（ｐｐｓ）およびオン・タイムは、フットペダルの動きによって変化しない。むしろ、ｐｐｓは矢印３４を使用して１４ｐｐｓで固定され、そして、オン・タイムは矢印４４を使用して４５％で固定されている。このように、ｐｐｓおよびオン・タイム値は、フットペダルが変位しても変化せず、矢印３４および４４を使用して外科医が手動で調整しなければならない。フットペダルが押されるにつれて、パワーは０から３５％に直線的に増加して、１秒当り１４パルスの固定レートで、４５％固定のデューティサイクルにて供給される。
【００１０】
図２および図４を参照すると、「超音波バースト」モードがメニュー１０から選択されると、同じ限界およびパワーウインドウ２８と、限界ウィンドウ２０が設けられる。上記のように、パワーはフットペダルによって直線的に変化する。ｐｐｓおよびオン・タイムのウィンドウ３０および４０（図３に示すように）ではなくて、インタフェースは「バースト」モードにおいては、オン・タイムまたはオン（ミリ秒）のためのウィンドウ５０およびオフ・タイムまたはオフ（ミリ秒）のためのウィンドウ６０を表示する。オン（ミリ秒）およびオフ（ミリ秒）値は固定されており、フットペダルが移動しても変化しない。オン・タイム（ミリ秒）は矢印５４を使用して７０ｍｓに固定される。この「バースト」モードにおいて、フットペダルが「オフ・タイム」を変更することによって押し下げられるにつれて、パワーは０から４０％に増加し、各パルスの持続時間はフットペダルの変位を通して一定の７０ｍｓのままである。
【００１１】
周知のインタフェースが過去において、水晶体超音波乳化吸引処置を実行するために首尾よく用いられたが、それらはまだ改良の余地がある。特に、外科医が異なるパルスモードを制御することができて、異なるモード間で容易に切り替えることができるように、インタフェースの視覚的および機能的な態様を強化できる。ユーザーインタフェースは、異なるモードおよびそれらのパラメータが迅速かつ容易に調整することを可能にする追加的な制御可能な表示要素を含むべきである。これらの改良は、過度にユーザーインタフェースおよびそれが機能する方法を複雑にせずになされなければならない。更に、インタフェースは連続、直線、パルス、バースト、そして、周知のモードの組合せおよび変形であり得る新しいモードを含む、種々の超音波駆動モードの種々の作動パラメータを効果的に示すことができなければならない。
【発明を実施するための最良の形態】
【００１２】
以下の説明では、説明の一部を形成し、本発明を実施することができる特定の実施形態を図で示す添付図面を参照する。変更は発明の範囲から逸脱することなくなされ得ることは理解されよう。
【００１３】
本発明の実施形態は、水晶体超音波乳化吸引外科用システムよって生成される超音波駆動またはパルスモードに対する改良された制御、および異なるパルスモードのパラメータに対する改良された制御を提供するグラフィカルユーザーインタフェースを目的とする。実施形態は、外科医により迅速かつ容易に選択および調整できて異なるモードを選択し、種々のモードをカスタマイズするために、種々のパルスパラメータを調整可能にする表示要素を提供する。選択できるパルスモードには、「連続」、「パルス」、およぴ「バースト」モードが含まれ、更に、以前は水晶体超音波乳化吸引システムでは容易に利用できなかったハイブリッドまたは組合せモードが含まれる。特性のまたはパルスの機能の表現は、表示要素に表示される。表現は、パルス特性、例えばオン・タイムおよびオフ・タイムのような表現をユーザーが選択できるメニューを生成するために、特定の表示要素において表示画面にタッチすることにより変更することができる。あるいは、ユーザーは、パルスのオン・タイムおよびオフ・タイムの特性または機能の異なる表現をスクロールすることができる。選択される表現は、フットペダルのようなコントローラの変位に応じて、オン・タイムおよびオフ・タイムがどのように変化するか、および水晶体超音波乳化吸引システムにより生成されるパルスのタイプおよび特性のようなパルス特性の機能または挙動を示す。
【００１４】
本発明の実施形態は、フットペダルの変位に関して直線的に増加、非直線的に増加、直線的に減少、非直線的に減少、および実質的に一定に維持されるように、オン・タイムおよびオフ・タイムの表現を調整可能にし、その結果、表現がオン・タイムおよび／またはオフ・タイムが直線的に、または非直線的に減少するか増加するか、または一定に維持されるかどうかを決定することを可能にすることにより、周知のインタフェースを改良する。異なるパルスモードは、オン・タイムおよびオフ・タイムが変化する（または、変化しない）方法を選択することによって生成できる。例えば、フットペダルの動きに応答して、オン・タイムおよびオフ・タイムが各々増加、減少、または一定を維持できるときに、九つの異なるパルスモードを選択できる。パワー限界、オン・タイム、およびオフ・タイムは、上下矢印および他の適切な調整機構を使用して調整することができる。
【００１５】
この技術に精通した者は、本発明の実施形態が、種々の器具の制御もまた遠隔フットペダルにより実行される場合は、それに制限されるわけではないが、神経外科装置を含む他の外科装置で利用され得るということは理解されよう。説明の目的であって、それに制限されるわけではなく、本明細書は、水晶体超音波乳化吸引処置およびそれらに関連する作動パラメータに関連した実施形態を述べる。
【００１６】
図５を参照すると、一つの実施形態に係る、水晶体超音波乳化吸引外科用システムのためのユーザーインタフェース５００が、システムの表示画面５０５に表示されている。インタフェース５００は、最大パワーまたはパワー限界表示要素５１０、オン・タイム表示要素５２０、およびオフ・タイム要素５３０を含む。フットペダルにより制御される現在のパワーレベルは、現在のパワー表示要素５４０に示されている。インタフェース５００はまた、この技術において知られているように、吸引率（Ａｓｐ  Ｒａｔｅ）５５０や真空限界圧力（Ｖａｃｕｕｍ）５６０のような、他の水晶体超音波乳化吸引外科用パラメータのための他の表示要素および調整要素も含む。これらの他の表示要素５５０および５６０の動作は、明細書でこれ以上記述することはしない。フットペダルを押し、リリースすることで、インタフェース５００で表現されて、システムでプログラムされる対応する作動パラメータおよびパラメータ値に従って、外科用装置の動作を制御する。
【００１７】
図示の実施形態では、表示要素５１０、５２０、および５３０は、長方形表示要素である。実際は、長方形以外の他の形状も利用でき、長方形の表示要素は限定的ではなく、説明のために提供される。パワー表示要素５１０は、フットペダルの位置に関連するパワーの挙動または機能の表現５１２を含む。オン・タイム表示要素５２０は、フットペダルの位置に関連するパルスのオン・タイムの挙動または機能の表現５２２を含む。オフ・タイム表示要素５３０は、フットペダルの位置に関連するパルスのオフ・タイムの挙動または機能の表現５３２を含む。グラフィック表現は、外科手術の前と間に外科医により容易にかつ迅速に選択でき、調整することができる。
【００１８】
図６を参照すると、パルス特性の表現はパルスパラメータとフットペダルの位置との間の所望の関係または機能に依存して、種々の形状を有することができる。図６に示されているように、パルスの特性の表現は、パワー、オン・タイムおよび／またはオフ・タイムの直線または非直線の機能を表現するために、直線的または非直線的表現であり得る。直線表現は、増加直線表現６００、水平または一定直線表現６１０、そして、減少直線表現６２０であり得る。非直線表現は、増加非直線表現６３０および減少非直線表現６４０であり得る。
【００１９】
典型的な非直線表現は、指数および多項式の表現を含み、パワー、オン・タイムおよび／またはオフ・タイムは指数的にまたは多項式に従って、フットペダルの動きによって変化する。
【００２０】
図７は、典型的な非直線表現を例示する。非直線表現７００−７５０は、異なる方法で非直線的に減少する。表現７００−７２０およびパワー、オン・タイムおよび／またはオフ・タイムの対応する機能は、フットペダルが最初に押し下げられたときにより緩やかに減少し、フットペダルが更に押し下げられるにつれて、より急速に減少する。表現７３０−７５０およびパワー、オン・タイムおよび／またはオフ・タイムの対応する機能は、フットペダルが最初に押し下げられたときにより急速に減少して、フットペダルが更に押し下げられるにつれて、より緩やかに減少する。図８は、パワー、オン・タイムおよび／またはオフ・タイムの挙動または機能の増加表現に関して、類似の関係を例示する。
【００２１】
限定的でなく、説明および例示のために、この明細書は、例えば増加直線、一定、および減少直線表現、およびパワー、オン・タイムおよび／またはオフ・タイムに関連する直線機能のような直線的表現に言及する。この技術に精通した者は、パワー、オン・タイムおよびオフ・タイムが直線表現、非直線表現、およびそれらの組合せにより制御できることを認識するであろう。この技術に精通した者はまた、直線表現が、実質的に直線であり、実用においては、若干の非直線成分を含むパルス特性を表現できることも認識するであろう。例えば、実際のパワーおよびフットペダルの位置の関係は、フットペダル位置を、生成されるパワー量へマッピングするため、正確には直線ではないこともある。このように、真の「直線」表現からの若干の逸脱が、実用においてはマッピングおよび他の要素のために起こり得る。
【００２２】
図６に示した実施形態において、増加直線表現６００は、表示要素の左下隅から右上隅まで伸び、フットペダルが押されると、表現されているパラメータが直線的に増加し、フットペダルがリリースされと、直線的に減少することを示す。水平または一定の直線表現６２０は、表示要素の両方の対向する側の間に伸びて、表現されているパラメータが、種々のフットペダル位置においても、実質的に一定のままであることを示す。減少直線表現６１０は、表示要素の左下隅から右上隅まで伸び、表現されているパラメータは、フットペダルが押されると直線的に減少し、フットペダルがリリースされると直線的に増加することを示す。別の実施例では、増加および減少直線表現６００および６１０と、パルスパラメータの対応する機能は、表示要素の一つの側と隅の間、または表示要素の両側の間に伸びてもよく、その場合もまた、増加または減少する関係を示す。これは、例えば、オン・タイムおよびオフ・タイムのようなパルスパラメータの開始値がゼロ以外の値であることを表現することもできる。
【００２３】
パワー、オン・タイム、およびオフ・タイムの初期値および最小値は、必要に応じて設定またはプログラムすることができる。システムは、例えば、フットペダルがリリースされているときのように、フットペダルがそのホームポジションにあるときに、最小パワー値が０％または他の所望値であるように構成できる。例えば、初期オン・タイムまたは、代替的に、最小値のオン・タイムは、０ｍｓまたは他の所望値であり得る。同様に、初期オフ・タイムまたは、代替的に、最小値のオフ・タイムは、０ｍｓまたは他の所望値であり得る。初期値または、代替的に、最小値は、他のインタフェース画面を使用するかまたはシステムに値をプログラムすることにより設定できる。
【００２４】
図５を再度参照すると、表示要素はパルスパラメータに対する値を含む。例えば、パワー限界表示要素５１０はパワー値５１３を含み、オン・タイム表示要素５２０はオン・タイム値５２３を含み、そして、オフ・タイム表示要素はオフ・タイム値５３３を含む。値は、それぞれの上下矢印５１４、５２４、および５３４または、スライドバーのような他の適切な調整機構を使用して調整できる。本明細書は、限定的でなく、説明のために上下矢印に言及する。例えば、オン・タイムの機能が増加する機能である場合、オン・タイム値は最大オン・タイムを表現する。最小のオン・タイムは、ゼロまたは他の選択された値であり得る。例えば、最小値は、最大値の２０％であり得る。開始値は、公式機能または他の技術を使用して決定することができる。更なる例として、オン・タイムの機能が減少機能である場合、オン・タイム値は、フットペダルが完全に押し下げられたときの最小オン・タイム値を表現する。最大オン・タイムは適切に選択できる。類似の制御は、オフ・タイムにあてはまる。値は、フットペダルが完全に押し下げられたときの各パラメータの最小値または最大値を表現する。
【００２５】
このように、オン・タイムの最大値が７０ｍｓであり、オン・タイム表現が直線的に増加すると、フットペダルが押されると、オン・タイムは、ゼロまたは最小値（例えば、７０ｍｓの２０％）から７０ｍｓへと直線的に増加する。オン・タイム表現が直線的に減少する場合、フットペダルが押されるにつれて、オン・タイムは最大値から７０ｍｓに直線的に減少する。同様に、オフ・タイムの最大値が７０ｍｓであり、オフ・タイム表現が直線的に減少する場合、フットペダルが押されるにつれて、オフ・タイムは７０ｍｓの最大値から直線的に減少する。オフ・タイム表現が直線的に増加する場合、フットペダルが押されるにつれて、オフ・タイムは０ｍｓまたは最小値から７０ｍｓに直線的に増加する。更なる例として、オフ・タイムの最大値が５０ｍｓで、オフ・タイム表現が水平である場合は、オフ・タイムは異なるフットの高さ位置において、実質的に５０ｍｓで一定に維持される。オン・タイムの最大値が５０ｍで、オン・タイム表現が水平である場合、オン・タイムは異なるフットの高さ位置において、実質的に５０ｍｓで一定に維持される。
【００２６】
図示の実施形態では、値はそれぞれの表現の上にスーパーインポーズされる。換言すれば、表現は、表示要素のバックグラウンドに現れる。例えば、値５１４はパワー表現５１２の上にスーパーインポーズされ、値５２４はオン・タイム表現５２２の上にスーパーインポーズされ、値５３４はオフ・タイム表現５３２の上にスーパーインポーズされる。別の実施形態では、表現は表示設定に依存する値の上にスーパーインポーズすることもできる。
【００２７】
外科医は、表現およびパワー、オン・タイム、およびオフ・タイムが異なる方法で機能する方法を選択することができ、切り替えることができる。図９を参照して、一つの実施形態によれば、異なる表現のメニュー９００が表示されるように、外科医は表示要素において表示画面にタッチすることができる。外科医はメニュー９００から、パワー、オン・タイムおよび／またはオフ・タイムの新規な表現または機能を選択できる。例えば、図５および図９を参照して、外科医は、オフ・タイム表示要素５３０において表示画面５０５にタッチすることができる。その結果、減少表現のメニュー９００が表示され、外科医は表現のうちの１つをメニュー９００から選択できる。選択された表現は、パルス特性がどのように機能するか示す。もちろん、メニュー９００は、減少、増加、および一定または水平の異なる数の表現を含むことができる。図９は、限定的でなく、説明のために、減少表現を有するメニュー９００を例示する。パワー限界、オン・タイム、およびオフ・タイム表現のそれぞれは、メニュー９００を使用して調整できる。
【００２８】
図１０を参照して、他の実施形態によれば、外科医はスクロールメニュー１０００を使用して、パルス特性の表現を所望の表現に変更するために、表示要素において表示画面５００にタッチすることができる。本実施形態において、外科医が特定の表示要素において表示画面５０５にタッチするたびに、そのパルスパラメータの表現は、新規な表現に変化する。換言すれば、外科医は、対応する表示要素において表示画面５０５にタッチすることによって、パルス特性の異なる表現をスクロールすることができる。このように、図１０に図示した実施形態において、異なる表現は、図９に示すように、グループまたはメニュー９００として示されるのではなく、個々に外科医に示される。
【００２９】
スクロールメニューの表現は、異なる順序で外科医に表示することができる。例えば、初期表現が水平表現である場合、表示要素への最初のタッチ（タッチ１）で水平表現を直線増加表現に変更できる。次のタッチ（タッチ２）は、直線増加表現を直線減少表現に変更できる。次のタッチ（タッチ３）は、直線増加表現を水平表現に変更できる。パワー限界、オン・タイム、およびオフ・タイム表現のそれぞれはこのような方法で調整できる。図１０は、外科医が表示要素において表示画面にタッチすることに応答して、外科医に表現を表示することができる他のシーケンスを例示する。更に、別の実施形態は、表現の他の数の表現およびこのように、表示される表現の他のシーケンスを含むことができる。
【００３０】
異なる超音波駆動またはパルスモードは、図９に示されるメニューまたは図１０に示されるスクロールメニューを用いて、パワー、オン・タイム、およびオフ・タイムの機能または挙動の表現を選択することによって、水晶体超音波乳化吸引システムにより生成することができる。
【００３１】
一つ実施形態によれば、オン・タイムおよびオフ・タイムはそれぞれ、三つの異なる表現を割り当てることができる。つまり、直線増加、直線水平または一定、および直線減少である。
【００３２】
図１１を参照して、可能なモードの総数は、オン・タイム表現の数とオフ・タイム表現の数を乗算することによって決定できる。本実施形態において、外科医は九つの異なるパルスモードをプログラムすることができる。実際には、異なる数の表現を使用すると、モードの数は変化する。
【００３３】
モード１においては、フットペダルが押されると、水平表現のため、オン・タイムおよびオフ・タイムの両者は実質的に一定のままである。モード２においては、押されているフットペダルに応答して、オン・タイムは実質的に一定のままであり、オフ・タイムは直線的に増加する。モード３においては、フットペダルを押すことに応答して、オン・タイムは実質的に一定のままであり、オフ・タイムは直線的に減少する。モード４においては、フットペダルを押すことに応答してオン・タイムは直線的に増加し、オフ・タイムは実質的に一定のままである。モード５においては、フットペダルが押されるにつれて、オン・タイムおよびオフ・タイムの両者は直線的に増加する。モード６においては、押されているフットペダルに応答して、オン・タイムは直線的に増加し、オフ・タイムは直線的に減少する。モード７においては、フットペダルを押すことに応答して、オン・タイムは直線的に減少し、オフ・タイムは実質的に一定のままである。モード８においては、押されているフットペダルに応答して、オン・タイムは直線的に減少し、オフ・タイムは直線的に増加する。モード９においては、フットペダルが押されると、オン・タイムおよびオフ・タイムの両者は直線的に減少する。外科医は、一つの実施例に係る特別な適用に依存して、九つのモードの一つを選択できる。図１２−１９は、選択されたモードの典型的な実施例を例示する。説明の目的のために、図１２−１９は、パワー、オン・タイム、およびオフ・タイム表現および関連した値だけを例示する。
【００３４】
図１２は、一般に「パルス」モードと呼ばれるモード１の典型的な実施例を例示する。「パルス」モードにおいて、水晶体超音波乳化吸引パワーは、一定のデューティサイクルで周期的なパルスで供給される。外科医は、固定幅のパルスの振幅を増減することになる、フットペダルを押す、またはリリースすることによって、パワーの量を増減する。周知のインタフェース、例えば図３に示されるインタフェースにおいて、「パルス」モードは、１秒当りのパルス数（ｐｐｓ）で表されるパルスレート、およびタイムオンの百分率で表されるデューティサイクルまたはオン・タイムを使用して典型的に設定される。本発明の実施形態は、「パルス」モードのパルスを表現するために、オン・タイムおよびオフ・タイムを使用する。フットペダルが押し下げられるにつれて、パワーは４０％の最大値へ増加するが、オン・タイムは３０ｍｓで固定されたままであり、オフ・タイムは２０ｍｓで固定されたままである。
【００３５】
図１３は、一般に「バースト」モードと呼ばれるモード３の典型的な実施例を例示する。「バースト」モードにおいては、パワーは一連の周期的、固定幅、および一定振幅のパルスを介して供給される。各パルスの後に、「オフ」タイムが続く。オフ・タイムは、ハンドピースに供給されるパワーの量を調整するために、フットペダルを押すことによって変化する。図示された例では、パワーは初期値から４０％まで直線的に増加し、オン・タイムは固定または定数であり、オフ・タイムは初期値から２０ｍｓに直線的に減少する。バーストモードに対しては、初期値は、例えば２５００ｍｓであってよい。実際には、他の初期値を使用することもできる。
【００３６】
図１４は、「連続」モードの一つの典型的な実施例を例示する。「パルス」モード（図１２）または「バースト」モード（図１３）以外のモードのときは、連続モードはオフ・タイムをゼロに設定することによって選択できる。フットペダルが押されるにつれてパワーがゼロから４０まで直線的に増加するように、超音波パワーは「連続」モードにおいて、直線的な方法で連続的に印加される。
【００３７】
図１５は、フットペダルが押されるにつれてオン・タイムが直線的に減少し、オフ・タイムが一定のままであるモードを例示する。より特別には、この組合せは結果として、初期値から４０％まで直線的に増加するパワー、そして、初期値、例えば１５０ｍｓ（終了値の５倍）から３０ｍｓの終了値まで直線的に減少するオン・タイムとなる。オフ・タイムは２０ｍｓで固定されたままとなる。システムにより生成されるパルスは、種々のレンズ硬度に「適応可能」であるため、この特定のモードは有益であり得る。例えば、外科医がフットペダルを、所与の分だけ押し下げても、結果としてレンズ除去が十分に迅速に進展しないということが分かると、外科医は一般的には、より深くフットペダルを押し下げることを命令し、このようにして、結果としてより大きなパワーを得る。通常、より大きなパワーは、より増大した反発力という結果になるが、しかしながら、この特定の設定を有する超音波パルスの持続期間が短くなるので、反発力は減少、最小化または、除去されることもある。外科医が、それらの硬度のためより高いパワーにおいてより反発の傾向がある、極めて成熟した白内障を抽出することを試みるときに、この結果は特別に役立つことがあり得る。
【００３８】
図１６は、パルスのパワーが初期値から４０％まで直線的に増加し、オン・タイムが、例えば１５０ｍｓのような初期値から３０ｍｓの最小値に直線的に減少し、オフ・タイムが例えば２５００ｍｓのような初期値から２０ｍｓの最小値に直線的に減少するモードを例示する。
【００３９】
図１７は、フットペダルが押されるにつれて、パワー、オン・タイム、およびオフ・タイムの全てが直線的に増加するモードを例示する。パワーは、初期値０から４０％まで直線的に増加し、オン・タイムは例えば初期値６ｍｓから２０ｍｓまで直線的に増加し、オフ・タイムは例えば初期値４ｍｓから２０ｍｓまで直線的に増加する。
【００４０】
図１８はパワーおよびオン・タイムが直線的に増加し、オフ・タイムが直線的に減少するモードを例示する。パワーは、初期値から４０％まで直線的に増加し、オン・タイムは６ｍｓから３０ｍｓまで直線的に増加し、オフ・タイムは例えば初期値２５００ｍｓから２０ｍｓまで直線的に減少する。
【００４１】
図１９は、フットペダルが押されるにつれて、パワーが初期値から４０％まで直線的に増加し、オン・タイムは３０ｍｓで一定のままであり、そして、オフ・タイムは４ｍｓから２０ｍｓまで直線的に増加するモードを例示する。
【００４２】
図２０は、表現およびオン・タイムおよびオフ・タイム値が調整できる方法を例示する。ステップ２０００において、水晶体超音波乳化吸引処置システムは、初期オン・タイム表現、初期オフ・タイム表現、初期オン・タイム値、および初期オフ・タイム値を有するように構成される。ステップ２００５において、パルスモードまたはパルスパラメータの値を変更すべきかどうかの決定がなされる。変更すべきでないと決定された場合は、初期の設定は維持される。
【００４３】
パルスモードが、変更されることになった場合は、ステップ２０１０においてオン・タイムおよびオフ・タイム表現はステップ２０１５および２０２０で必要に応じて変更される。例えば、外科医は、オン・タイム表現を増加直線、一定、または減少直線表現のうちの一つに変更するために、オン・タイム表示要素において表示画面にタッチすることができる。同様に、外科医は、オフ・タイム表現を増加直線、一定、または減少直線表現のうちの一つに変更するために、オフ・タイム表示要素において表示画面にタッチすることができる。オン・タイムおよびオフ・タイム機能の選択された組合せは、結果としてステップ２０２５において選択されている図１１に示されるパルスモードのうちの一つになる。もちろん、異なる表現の数により、外科医は異なる数のパルスモードを生成することが可能になる。
【００４４】
オン・タイムおよびオフ・タイムパラメータの値は、ステップ２０３０において調整できる。より特別には、オン・タイム値およびオフ・タイム値は、ステップ２０３５および２０４０において、必要に応じて調整できる。このように、パルスモードの値は、必要に応じてステップ２０４５において調整できる。
【００４５】
この技術に精通した者は、グラフィカルユーザーインタフェースおよびオン・タイムおよびオフ・タイムの調整が種々の方法で修正できることを認識するだろう。従って、この技術において、通常の技術を有する者は、実施形態が、記載されている特定の例示的実施形態に制限されないこと認識し、むしろ、実施形態は他の外科装置およびパラメータに適用できることを認識するであろう。前述の記述において、種々の実施形態への参照がなされたが、この技術において、通常の技術を有する者は、本質的でない変形、変更および置換が添付の請求の範囲に記載の本発明から逸脱することなく、記載されている実施例になされるということを認識するであろう。
【図面の簡単な説明】
【００４６】
実施形態と、その利点の更に完全な理解は、添付図と共に、下記の記述を参照することによりなされ、図においては類似の参照番号は、類似の特徴を示している。
【図１】「連続」モードにおいて、水晶体超音波乳化吸引外科用システムで使用される周知のグラフィカルユーザーインタフェースを示す。
【図２】「連続」モードメニューバーが選択されて、利用可能なパルスモードのドロップダウンメニューが生成された後の、図１に示されたインタフェースを示す。
【図３】メニューから「超音波パルス」メニューバーが選択された後の、図２に示されたインタフェースを示す。
【図４】メニューから「超音波バースト」メニューバーが選択された後の、図２に示されたインタフェースを示す。
【図５】パルスオン・タイムおよびオフ・タイムの機能の表現を含む、本発明の一つの実施形態に係る、グラフィカルユーザーインタフェースを示す。
【図６】一つの実施形態に係る、フットペダルの位置に関するパルス特性の典型的な直線および非直線表現を示す。
【図７】フットペダルの位置に関して減少する、オン・タイムおよびオフ・タイムの典型的な非直線表現を示す。
【図８】フットペダルの位置に関して増加する、オン・タイムおよびオフ・タイムの典型的な非直線表現を示す。
【図９】一つの実施形態に係る、オン・タイムおよびオフ・タイムの表現を含むメニューを示す。
【図１０】ユーザーが異なる表現をスクロールできる、一つの実施形態に係る、水平、増加、および減少オン・タイムおよびオフ・タイム表現の典型的なシーケンスを示す。
【図１１】一つの実施形態に係る、三つのオン・タイム表現の一つと、三つのオフ・タイム表現の一つを選択することにより実行できる九つの異なるパルスモードを示す。
【図１２】一定のオン・タイムおよび一定のオフ・タイムを選択することにより「パルス」モードに設定される、一つの実施形態に係るインタフェースを示す。
【図１３】フットペダルの変位に関して、一定のオン・タイムおよび減少オフ・タイムを選択することにより「バースト」モードに対して設定される、一つの実施形態に係るインタフェースを示す。
【図１４】オフ・タイムがゼロに設定された「連続」モードに対して設定される、一つの実施形態に係るインタフェースを示す。
【図１５】フットペダルの変位に関して、オン・タイムが減少し、オフ・タイムが一定であるモードに対して設定される、一つの実施形態に係るインタフェースを示す。
【図１６】フットペダルの変位に関して、オン・タイムとオフ・タイムの両者が減少するモードに対して設定される、一つの実施形態に係るインタフェースを示す。
【図１７】フットペダルの変位に関して、オン・タイムとオフ・タイムの両者が増加するモードに対して設定される、一つの実施形態に係るインタフェースを示す。
【図１８】フットペダルの変位に関して、オン・タイムが増加し、オフ・タイムが減少するモードに対して設定される、一つの実施形態に係るインタフェースを示す。
【図１９】フットペダルの変位に関して、オン・タイムが一定であり、オフ・タイムが減少するモードに対して設定される、一つの実施形態に係るインタフェースを示す。
【図２０】一つの実施形態に係る、モードと関連するオン・タイムおよびオフ・タイムを選択する方法を示すフローチャートである。
【図１】
2006297086.tif 000003
【図２】
2006297086.tif 000004
【図３】
2006297086.tif 000005
【図４】
2006297086.tif 000006
【図５】
2006297086.tif 000007
【図６】
2006297086.tif 000008
【図７】
2006297086.tif 000009
【図８】
2006297086.tif 000010
【図９】
2006297086.tif 000011
【図１０】
2006297086.tif 000012
【図１１】
2006297086.tif 000013
【図１２】
2006297086.tif 000014
【図１３】
2006297086.tif 000015
【図１４】
2006297086.tif 000016
【図１５】
2006297086.tif 000017
【図１６】
2006297086.tif 000018
【図１７】
2006297086.tif 000019
【図１８】
2006297086.tif 000020
【図１９】
2006297086.tif 000021
【図２０】
2006297086.tif 000022
【外国語明細書】
2006297086000001.pdf